(57)【要約】  【課題】  各自治体の施設などの案内情報を提供し、異なる行政区画の施設などであっても、容易に案内情報が入手できるようにしつつ、行政区画ごとに表示デザインを変えることが可能なようにする。  【解決手段】案内情報をあらかじめ決められたカテゴリに分類しておく。すべてのカテゴリのそれぞれをアイコンにより表示しておく。入力エリア１０１や地図を表示する画面部分１１１などから位置情報が取得されると、その位置情報により示される位置を含む行政区画を識別する情報を取得して、その行政区画を識別する情報に関連付けられた地域情報のカテゴリを表示するアイコンと、その行政区画を識別する情報に関連付けられていない地域情報のカテゴリを表示するアイコンと、を識別可能に表示する。また、行政区画ごとに表示デザインを関連付けて保持する。【選択図】  図１
2005208434.tif 000002
【特許請求の範囲】
【請求項１】
地図上の位置を示す情報である位置情報を取得する位置情報取得部と、
前記位置情報取得部で取得された位置情報で示される位置が含まれる行政区画を識別する行政区画識別情報を取得する行政区画識別情報取得部と、
行政区画識別情報とその行政区画識別情報で識別される地域の地域情報のカテゴリとを関連付けて保持するカテゴリ保持部と、
前記カテゴリ保持部で保持されているすべてのカテゴリをアイコンにて表示し、その表示されたすべてのアイコンの中で前記行政区画識別情報取得部が取得した行政区画識別情報と関連付けられているカテゴリを表示するアイコンと、前記行政区画識別情報取得部が取得した行政区画識別情報と関連付けられていないカテゴリを表示するアイコンと、を識別可能に表示するカテゴリアイコン表示部と、
を有する地図情報表示装置。
【請求項２】
地図を画面上に表示する地図表示部を有し、
前記位置情報取得部は、前記地図表示部が表示した地図の任意の位置をポインティングデバイスにより指定することにより位置情報を取得するポインティングデバイス取得手段を有する請求項１に記載の地図情報表示装置。
【請求項３】
前記地図表示部は、前記行政区画を複数含んだ地図を表示するシームレス表示手段を有する請求項２に記載の地図情報表示装置。
【請求項４】
前記シームレス表示手段は、任意の一の行政区画を含む地図部分から、前記地図部分に含まれない他の行政区画を含む地図部分にまでスクロール表示が可能である請求項３に記載の地図情報表示装置。
【請求項５】
前記地域情報の表示デザインを定める表示デザイン情報を保持する表示デザイン情報保持部
を有し、
前記行政区画識別情報取得部が取得した行政区画識別情報に応じて前記表示デザイン情報保持部から表示デザイン情報を選択する表示デザイン選択部と、
前記表示デザイン選択部が選択した表示デザイン情報を利用して前記地域情報を表示する地域情報表示部と、
を有する請求項１から４のいずれか一に記載の地図情報表示装置。
【請求項６】
前記表示デザイン情報は、前記地域情報表示部により前記地域情報が表示される際の文字のフォント、文字の大きさ、文字の色、背景の色、用いる画像の種類、テキストのアラインメントのいずれか一を含む表示態様を定める請求項５に記載の地図情報表示装置。
【請求項７】
前記表示デザイン情報は、前記地域情報表示部による前記地域情報の表示とともに画面に表示するバナー広告の種類または／および数を定める請求項５に記載の地図情報表示装置。
【請求項８】
行政区画識別情報と、地域情報とを関連付けて保持する地域情報保持部と、
前記地域情報保持部で保持されている地域情報を管理する地域情報管理部とをさらに有する請求項１から５のいずれか一に記載の地図情報表示装置。
【請求項９】
前記地域情報管理部による地域情報の管理の履歴を示す管理履歴情報を保持する管理履歴情報保持部と、
前記管理履歴情報保持部に保持された管理履歴情報に基づいて、地域情報の追加または／および変更を示す追加変更情報を出力する追加変更情報出力部を有する請求項８に記載の地図情報表示装置。
【請求項１０】
地図上の位置を示す情報である位置情報を取得する位置情報取得ステップと、
前記位置情報取得ステップで取得された位置情報で示される位置が含まれる行政区画を識別する行政区画識別情報を取得する行政区画識別情報取得ステップと、
行政区画識別情報とその行政区画識別情報で識別される地域の地域情報のカテゴリとを関連付けて保持するカテゴリ保持ステップと、
前記カテゴリ保持ステップで保持されているすべてのカテゴリをアイコンにて表示し、その表示されたすべてのアイコンの中で前記行政区画識別情報取得ステップにて取得した行政区画識別情報と関連付けられているカテゴリを表示するアイコンと、前記行政区画識別情報取得ステップにて取得した行政区画識別情報と関連付けられていないカテゴリを表示するアイコンと、を識別可能に表示するカテゴリアイコン表示ステップと、
を含む地図情報表示方法。
【発明の詳細な説明】
【技術分野】
【０００１】
本発明は、地図上の位置を示す情報を取得し、その地図上の位置を含む行政区画を識別する情報を取得して、その行政区画の地域の地域情報を表示するための地図情報表示装置に関する。
【背景技術】
【０００２】
市区町村や特別区などの自治体がホームページを開設している。そのホームページには、その自治体が住民などにサービスを提供するための施設、例えば、スポーツ施設、図書館、集会場など、の情報を、その所在地を示す地図とともに提供している（例えば、非特許文献１、２参照。）。
【０００３】
また、広告対象物の位置が含まれる地図情報を表示する技術が知られている（例えば、特許文献１参照。）。
【特許文献１】特許第２７５６４８３号公報
【非特許文献１】渋谷区、"渋谷区役所  タウンガイド"、〔ｏｎｌｉｎｅ〕、〔平成１５年１２月３０日検索〕、インターネット<ＵＲＬ：http://www.city.shibuya.tokyo.jp/ku/town/town.html>
【非特許文献２】千代田区、"施設案内"、〔ｏｎｌｉｎｅ〕、〔平成１５年１２月３０日検索〕、インターネット<ＵＲＬ：http://www.city.chiyoda.tokyo.jp/sisetu/sisetu.htm>
【発明の開示】
【発明が解決しようとする課題】
【０００４】
現状では、各自治体がそれぞれのフォーマットで施設などの案内を提供しており、この違いのために、利用者が目的の施設の案内を入手するまでに手間と時間が要求されるという課題がある。
【０００５】
また、行政区画の境界線付近に居住する者には、居住している行政区画と、隣の行政区画と、の施設が近くに存在することになる。しかし、施設の距離が近いにもかかわらず、自分の居住している行政区画の施設の案内情報を得るには、自分の居住している行政区画の自治体のホームページを見、隣の行政区画の施設の案内情報を得るには、隣の行政区画の自治体のホームページを見る必要がある。すなわち、施設の距離が近いにもかかわらず、それらの施設の案内情報を得て比較するには、多大な労力が必要となるという課題がある。
【０００６】
一方、広告対象物として各自治体の提供する施設を用いて、地図上に施設のマークを表示すれば、行政区画の違う施設の案内情報を容易に入手できる。しかし、地図上に複数種類の施設が表示されることにより、地図が見づらくなり、目的とする施設を探しにくくなるという課題がある。
【０００７】
また、行政区画に対応する自治体などによっては、ホームページなどの表示デザインを他の行政区画と異なるものを用いて、表示されるホームページなどの差別化、個性化を図りたいという要望もある。この要望に応えるために行政区画ごとにシステムを開発したのでは、開発効率が悪く、また、上で述べたように、隣の行政区画の情報が簡単に見られなくなる（すなわち、シームレスな操作ができない）という問題がでてくる。すなわち、行政区画ごとにホームページなどに個性を持たせ、かつ、操作のシームレス性を確保するという相反する要求を満たすべき課題もある。
【０００８】
本発明はかかる課題を解決するために考え出されたものであり、各自治体の施設などの案内情報を統一的に提供し、異なる行政区画の施設などであっても、容易に案内情報が入手でき、また、目的とする施設などを容易に探し出すことができる地図情報表示装置を提供することを目的とする。
【課題を解決するための手段】
【０００９】
上記目的を達成するために、本発明では、以下に説明する地図情報表示装置を提供する。すなわち、地図上の位置を示す情報を取得し、その地図上の位置を含む行政区画を識別する情報を取得し、また、行政区画を識別する情報と、その行政区画の地域情報のカテゴリとを関連付けて保持しておき、保持されている全てのカテゴリをアイコンで表示する。アイコンの表示においては、アイコンのなかで、取得された行政区画の地域情報と関連付けられているカテゴリに対応するものを、そうでないカテゴリに対応するものとを識別可能に表示する。
【００１０】
これにより、行政区画が異なっても統一したフォーマットで施設などの案内情報を提供することができる。例えば別の行政区画の施設などの案内情報を入手するためには、隣の行政区画に含まれる地図上の位置を入力すればよいので、シームレスに別の行政区画の施設などの案内情報が入手できる。また、地域情報が存在するアイコンとそうでないアイコンとが区別して表示されるので、検索の利便性も向上する。これにより、課題が解決される。
【００１１】
また、本発明に係る地図情報表示装置においては、地図上の位置は、表示された地図をマウスなどのポインティングデバイスにより指定してもよい。
【００１２】
これにより、位置の指定が容易に行なえるようになる。
【００１３】
また、本発明に係る地図情報表示装置により表示される地図に、複数の行政区画が表示されるようになっていてもよい。
【００１４】
これにより、異なる行政区画の施設などの案内情報が容易に入手できる。
【００１５】
また、本発明に係る地図情報表示装置は、地域情報を表示するためのデザインが選択できる機能を有していてもよい。
【００１６】
これにより、行政区画が変化したことを利用者に知らせることなどが可能となる。
【００１７】
また、本発明に係る地図情報表示装置は、地域情報を管理する機能を有していてもよい。
【００１８】
これにより、地域情報を最新の状態に保つことができる。
【発明の効果】
【００１９】
本発明によれば、行政区画が異なっても統一したフォーマットで地域情報を提供することができ、また、利用者は、異なる行政区画の地域情報を簡便な操作で取得することが可能となる。また、行政区画ごとに表示デザインが設定できることにより、ホームページなどの表示の差別化、個性化を図り、かつ、シームレスな操作性を実現することが可能となる。
【発明を実施するための最良の形態】
【００２０】
以下、本発明を実施するための最良の形態について、図を用いて説明する。なお、本発明は、これら形態に何ら限定されるものではなく、その要旨を逸脱しない範囲において、種々なる態様で実施し得る。
【００２１】
（本発明の概要）
図１、図２、図３、図４は、本発明の概要を例示している。これらの図は、本発明に係る地図情報表示装置による画面表示の例を示している。これらの図の画面表示は、例えば、本発明に係る地図情報表示装置に、インターネットなどの通信回線を介して接続された端末装置（例えば、パーソナルコンピュータやデジタルテレビ、携帯電話など）に表示がされる。画面表示は、地図情報表示装置が出力するＨＴＭＬ言語などによる記述を端末装置側で解釈することにより行なわれ、端末装置の画面上の操作（マウスのクリックなど）は、ＣＧＩなどの仕組みが用いられて地図情報表示装置へ伝えられる。もちろん、一台のパーソナルコンピュータが地図情報表示装置として動作し、そのパーソナルコンピュータのディスプレイに図１から図４などの画面表示が行なわれるようになっていてもよい。
【００２２】
図１において、入力エリア１０１に地図上の位置を入力する。例えば、特定の地図帳に地図が示されている地図のページ番号とその地図の座標位置や、あるいは、住所などを入力する。入力が終わると、表示ボタン１０２を押下する。
【００２３】
表示ボタン１０２の押下により、画面部分１１１は、入力エリア１０１に入力された地図上の位置を含む地図を表示する。例えば、画面部分１１１の中心の位置が、入力エリア１０１に入力された地図上の位置になるように表示がされる。なお、画面部分１１１には、最初から何らかの地図が表示されていてもよい。例えば、利用者が居住している行政区画の地図が表示されていてもよい。
【００２４】
また、表示ボタン１０２の押下により、「カテゴリ」の表示の下に並んでいるアイコン１０３からアイコン１１０までの表示も変化する。これらのアイコンは、入力された地図上の位置を含む行政区画の地域情報を表示するためのアイコンである。これらのアイコンの種類は地図上の位置が異なっても、同一のものが表示される。ただし、地域情報が存在するアイコンと、地域情報が存在しないアイコンと、は、外見が異なるように表示される。例えば、地域情報が存在するアイコンは、図１のアイコン１０３からアイコン１０８のように実線で囲まれて表示され、他方、地域情報が存在しないアイコンは、図１のアイコン１０９やアイコン１１０のように点線で囲まれて表示される。あるいは、地域情報が存在しないアイコンは、灰色などの目立たない色で表示されるようになっていてもよい。なお、アイコンの表示順序は、画面が切り替わっても同一であるのが望ましい。これにより、統一感のある画面表示を提供することができる。
【００２５】
図２は、アイコン１０３からアイコン１１０までのいずれかのアイコンに対してクリックなどの操作が行なわれた場合の表示画面を例示している。図２は、「スポーツ施設」に関連する地域情報に対応するアイコン１０６に対して操作が行なわれた場合の画面表示である。アイコン１０６に対する操作に応じて、画面部分２０１が表示され、スポーツ施設の案内情報が表示される。画面部分２０１の「詳細」が表示されている部分に対して、クリックなどの操作を行なうと、スポーツ施設の詳細な案内情報が表示される。また、「地図」が表示されている部分に対してクリックなどの操作を行なうと、その施設の位置を表示する地図が画面に表示される。例えば、施設の位置が中心となる地図が、画面部分１１１に相当する位置に表示される。
【００２６】
図３は、行政区画の境界線を含む地図が画面部分３０１に表示されている例を示す。この場合、画面部分３０１に表示されている地図の例えば中心部分は、甲村であるので、「カテゴリ」の表示の下に並んでいるアイコンは、甲村の地域情報に応じて表示される。すなわち、甲村に「役場・出張所」、「保育所・幼稚園」、…、「避難所」の地域情報が存在するので、それらに対応するアイコンは実線などで囲まれて表示される。他方、「観光スポット」と「企業情報」に対応するアイコンは破線などで囲まれ、他のアイコンより目立たないように表示がされる。勿論、「役場・出張所」、「保育所・幼稚園」、…、「避難所」と表示されたアイコンに対してクリックなどの操作を行なうと、甲村の役場、出張所、保育所、幼稚園、避難所などの情報が図２のように表示される。
【００２７】
図４は、図３の画面部分３０１の地図の乙町の部分をマウスなどのポインティングデバイスにより、クリックなどの操作を行なった場合の画面表示を例示する。画面部分４０１では、乙町の部分が中心となる地図が表示されるとともに、「カテゴリ」の表示の下に並んでいるアイコンも変化する。すなわち、図３では、破線で囲まれて表示されていた「観光スポット」、「企業情報」が表示されているアイコンが実線で囲まれて表示される。これは、乙町に、観光スポットと企業情報に関する地域情報が存在するためである。勿論、「役場・出張所」、「保育所・幼稚園」、…、「避難所」と表示されたアイコンに対してクリックなどの操作を行なうと、乙町の役場、出張所、保育所、幼稚園、避難所などの情報が図２のように表示される。
【００２８】
なお、図１から図４に例示された画面は、ＨＴＭＬ言語などのウェブページを記述する言語により記述することができる。また、行政区画ごとに、異なる画面デザインが定められていてもよい。この場合、例えば、甲村に関する図３の画面表示のデザインと乙町に関する図４の画面表示デザインとが異なっていてもよく、文字の大きさ、文字の色、文字のフォント、背景色、背景の画像、アイコンの画像が異なっていてもよい。また、画面表示には、広告などのためのバナーも表示されていてもよい。例えば、画面の上部や、地図の右側にバナーが表示されてもよい。表示されるバナーは、行政区画に関連のあるものが好適であるが、バナーの種類、数は、行政区画ごとに設定されていてもよい。また、地域情報に変化があった場合、例えば、新しい施設に関する情報が追加されたなどの場合には、新着情報として、その旨の表示がされるようになっていてもよい。
【００２９】
（実施形態１）
本発明の実施形態１として、地図上の位置を示す情報を取得し、その位置を含む行政区画に関連付けられている地域情報のカテゴリに対応するアイコンと、そうでないアイコンと、を識別可能に表示する地図情報表示装置について説明する。
【００３０】
（実施形態１：構成）
図５は、本発明の実施形態１に係る地図情報表示装置の機能ブロック図を例示する。地図情報表示装置５００は、位置情報取得部５０１と、行政区画識別情報取得部５０２と、カテゴリ保持部５０３と、カテゴリアイコン表示部５０４と、を有する。
【００３１】
「位置情報取得部」５０１は、位置情報を取得する。ここに、「位置情報」とは、地図上の位置を示す情報である。位置情報の例としては、特定の地図の座標位置を示す情報、特定の地図帳のページ番号とそのページに表示されている地図の座標位置を示す情報、経度緯度を示す情報、住所表示を示す情報、などがある。
【００３２】
図６は、位置情報取得部５０１が位置情報を取得するための画面表示の例を示す。画面表示６００において、入力エリア６０１に位置情報を示す文字列が入力され、「ｓｕｂｍｉｔ」と書かれたボタン６０２を押下することにより、入力エリア６０１に入力された文字列が位置情報として位置情報取得部５０１に入力される。なお、図６に示した画面の構成要素は、図１の入力エリア１０１と表示ボタン１０２とに対応する。
【００３３】
図７は、地図帳などに表示された地図であって、座標が指定できる地図の一例を示す。例えば、「Ｂ−２」と指定することにより、「Ｂ」の列と「２」の行が交差する位置が指定できる。入力エリア６０１には、このような「Ｂ−２」が入力されるようになっていてもよい。
【００３４】
なお、位置情報は、文字列として入力されることに限定はされず、種々のものが考えられる。例えば、画面に地図を表示しておき、その表示された地図の位置をマウスなどのポインティングデバイスのカーソルで指示して、クリックなどの操作を行なうようにしてもよい。
【００３５】
「行政区画識別情報取得部」５０２は、行政区画識別情報を取得する。「行政区画識別情報」とは、位置情報取得部５０１で取得された位置情報で示される位置が含まれる行政区画を識別する情報である。そのような情報の例としては、行政区画の名前や、行政区画の郵便局に割り当てられた郵便番号などのコード情報がある。
【００３６】
図８は、行政区画識別情報取得部５０２が行政区画識別情報を取得する一つの方法を説明するための図である。すなわち、行政区画識別情報取得部５０２が行政区画識別情報を取得するために用いる表を例示している。図８に示された表では、位置情報取得部５０１が取得する位置情報は、特定の地図帳のページ番号とそのページに表示されている地図の座標位置を示す情報と、行政区画の名前である行政区画識別情報と、が関連付けられている。例えば、１ページ目のＡ−１（ｐ．１  Ａ−１）で示される位置情報には、甲村が関連付けられている。すなわち、１ページ目のＡ−１は、甲村に属していることが示されている。行政区画識別情報取得部５０２は、図８に例示された表を検索することにより、位置情報取得部５０１で取得された位置情報で示される位置が含まれる行政区画の行政区画識別情報を取得する。
【００３７】
なお、図８に例示された表では、特定の地図帳のページ番号とそのページに表示されている地図の座標位置を示す情報を用いているが、画面上に表示された地図の座標位置と行政区画識別情報を関連付けることも当業者にとって容易である。
【００３８】
また、「行政区画」とは、例えば、市町村・特別区に対応する区画である。あるいは、都道府県に対応する区画であってもよい。ただし、住民に密接にサービスを提供するのは、都道府県よりも市町村・特別区であるので、本発明においては、市町村・特別区に対応する区画を行政区画として用いるのが好適である。
【００３９】
「カテゴリ保持部」５０３は、行政区画識別情報とその行政区画識別情報で識別される地域の地域情報のカテゴリとを関連付けて保持する。「地域情報」とは、地域の地勢やその地域にある施設の案内情報、交通情報など、その地域に関する情報である。「地域情報のカテゴリ」とは、一定あるいは複数の観点による地域情報の分類である。例えば、地域情報が施設の案内情報であれば、市町村区役所や出張所、スポーツ施設、教育施設、文化施設、避難所、などのカテゴリに分類することができる。
【００４０】
図９は、カテゴリ保持部５０３が、行政区画識別情報とその行政区画識別情報で識別される地域の地域情報のカテゴリとを関連付けて保持する一態様を示す。図９は、行政区画識別情報と、地域情報と、カテゴリを関連付けた表を例示している。例えば、甲村に対しては、ａ０１０．ｈｔｍで識別されるファイルの地域情報が用意されており、その地域情報は、役場・出張所というカテゴリに分類されることが表現されている。したがって、図９に例示された表の行政区画識別情報の列で検索を行ない、カテゴリの列の値を調べることにより、特定の行政区画識別情報に対して、どのカテゴリの地域情報が存在するかを知ることができる。
【００４１】
「カテゴリアイコン表示部」５０４は、カテゴリ保持部５０３で保持されているすべてのカテゴリをアイコンにて表示し、その表示されたすべてのアイコンの中で行政区画識別情報取得部５０２が取得した行政区画識別情報と関連付けられているカテゴリを表示するアイコンと、行政区画識別情報取得部５０２が取得した行政区画識別情報と関連付けられていないカテゴリを表示するアイコンと、を識別可能に表示する。例えば、カテゴリアイコン表示部５０４は、図９に例示された表のカテゴリの列に格納されているすべての値をアイコンによって表示するが、その際、行政区画識別情報と関連付けられているカテゴリを表示するアイコンと、そうでないアイコンと、を区別して表示する。なお、「表示」には、画面に表わすことにのみならず、表示を行なうためのＨＴＭＬ言語による記述を出力することや送信することも含まれるものとする。
【００４２】
図１０は、ある行政区画識別情報に、「役場・出張所」、「保育所・幼稚園」、「観光スポット」という地域情報のカテゴリが関連付けられているが、「小・中学校」、「スポーツ施設」、「病院・医院」、「企業情報」という地域情報のカテゴリが関連付けられていない場合のカテゴリアイコン表示部５０４による表示の例を示す。図１０において、アイコンは、画面１０００の画面部分１００１に表示されているが、「役場・出張所」、「保育所・幼稚園」、「観光スポット」に対応するアイコン１００２、アイコン１００３、アイコン１００７は実線で囲まれているが、その他の「小・中学校」、「スポーツ施設」、「病院・医院」、「企業情報」に対応するアイコン１００４、アイコン１００５、アイコン１００６、アイコン１００８は破線で囲まれており、これら２つの群のアイコンが区別して表示されている。なお、実線で囲むことと破線で囲むことは、区別して表示することの例であり、他の実施形態として、色を変えたり、大きさを変えたりするようにしてもよい。また、図１０のアイコン１００２などの表示は、図１などのアイコン１０３などの表示に対応する。
【００４３】
なお、アイコンは、画像として表示されてもよいし、文字列として表示されてもよい。また、アイコンは、地域情報とリンクされていてもよい。すなわち、行政区画識別情報と地域情報のカテゴリとが関連づけられている場合に、そのカテゴリを表示するアイコンをクリックなどすることにより、その地域情報が表示されるようになっていてもよい。また、アイコンは、別の位置情報が入力されるなどにより表示画面が切り替わっても同じ順序で表示されるようになっていてもよい。
【００４４】
図１１は、カテゴリアイコン表示部５０４の処理の流れ図を例示する。なお、図１１に流れ図が例示された処理を行なう前に、すべてのカテゴリを表示するアイコンを、行政区画識別情報と関連付けられていない状態にしておく。ステップＳ１１０１において、行政区画識別情報取得部５０２が取得した行政区画識別情報により図９の表の検索を行なう。これにより検索の結果が得られ、ステップＳ１１０２において、検索の結果があるかどうかを判断する。もし、検索の結果が無ければ処理を終了し、検索の結果が有ればステップＳ１１０３へ処理を移行する。ステップＳ１１０３において、検索の結果を一つ取り出す。ステップＳ１１０４において、取り出した検索の結果のカテゴリの列の値を見て、そのカテゴリを表示するアイコンの表示を変更する。すなわち、行政区画情報識別情報と関連付けられた状態にする。そして、ステップＳ１１０２へ処理を移行する。
【００４５】
（実施形態１：処理の流れ）
図１２は、本実施形態に係る地図情報表示装置の処理の流れ図を例示する。地図情報表示装置は、必要に応じて、図１２の処理を繰り返し実行する。
【００４６】
ステップＳ１２０１において、位置情報取得部５０１により、位置情報を取得する（位置情報取得ステップ）。
【００４７】
ステップＳ１２０２において、行政区画識別情報取得部５０２により、ステップＳ１２０１で取得された位置情報で示される位置が含まれる行政区画を識別する行政区画識別情報を取得する（行政区画識別情報取得ステップ）。
【００４８】
ステップＳ１２０３において、カテゴリアイコン表示部５０４により、行政区画識別情報に関連付けられているカテゴリを表示するアイコンとそうでないアイコンとを区別して表示する（カテゴリアイコン表示ステップ）。
【００４９】
なお、図１２の流れ図は、位置情報取得ステップと、行政区画識別情報取得ステップと、カテゴリ保持ステップと、カテゴリアイコン表示ステップと、を含む地図情報表示方法の処理の流れ図でもある。なお、「カテゴリ保持ステップ」とは、行政区画識別情報とその行政区画識別情報で識別される地域の地域情報のカテゴリとを関連付けて保持するステップである。したがって、本実施形態に係る地図情報表示装置は、地図情報表示方法を用いるための装置の一つである。また、本実施形態に係る地図情報表示装置を計算機により実現するためのプログラムを提供したり、そのようなプログラムを記録した媒体を提供したりすることも容易である。この場合において、図５などの機能ブロック図は、そのようなプログラムのモジュール構成図と解釈することができ、図１１や図１２などのフローチャートは、プログラムの処理の流れを示すと解釈することができる。
【００５０】
（実施形態１：主な効果）
本実施形態により、地域情報のすべてのカテゴリを表示するアイコンが表示されるので、統一感を持った画面が提供できる。したがって、行政区画が異なっても、同じフォーマットで施設などの地域情報を提供することが可能となる。
【００５１】
（実施形態２）
本発明の実施形態２として、表示された地図を用いて位置情報を取得する地図情報表示装置を説明する。
【００５２】
（実施形態２：構成）
図１３は、本発明の実施形態２に係る地図情報表示装置の機能ブロック図を例示する。地図情報表示装置１３００は、位置情報取得部５０１と、行政区画識別情報取得部５０２と、カテゴリ保持部５０３と、カテゴリアイコン表示部５０４と、地図表示部１３０１と、を有し、位置情報取得部５０１は、ポインティングデバイス取得手段１３０２を有している。したがって、本実施形態に係る地図情報表示装置は、実施形態１に係る地図情報表示装置が地図表示部１３０１を有し、また、実施形態１に係る地図情報表示装置の位置情報取得部がポインティングデバイス取得手段を有する構成となっている。
【００５３】
なお、本明細書において、同じ定義の部や手段には、できるだけ同じ符号を割り当てている。実際に製造などを行なう場合には、同じ符号であっても作りが異なる場合がある。
【００５４】
「地図表示部」１３０１は、地図を画面上に表示する。例えば、画像ファイルとして保持されている地図情報を、液晶ディスプレイなどの画面に表示する。この表示の例としては、例えば、図１の画面部分１１１がある。
【００５５】
「ポインティングデバイス取得手段」１３０２は、地図表示部１３０１が表示した地図の任意の位置をポインティングデバイスにより指定することにより位置情報を取得する。例えば、マウスなどによりクリックの操作が行なわれたときのマウスカーソルの位置を取得し、その位置が地図表示部１３０１により表示された地図の内部であれば、地図の内部における相対的な座標位置を、座標変換操作などを介して取得する。
【００５６】
（実施形態２：処理の流れ）
図１４は、本実施形態に係る地図情報表示装置の処理の流れ図を例示する。地図情報表示装置は、必要に応じて、図１４に例示される流れを繰り返し実行する。
【００５７】
ステップＳ１４０１において、地図表示部１３０１により、地図を表示する（地図表示ステップ）。
【００５８】
ステップＳ１４０２以下は、実施形態１と同様である。ただし、ステップＳ１４０２において、位置情報を取得する際には、ポインティングデバイスにより位置情報が取得されるようになっていてもよい。
【００５９】
また、位置情報が取得された際には、その位置情報が中心となるように地図が表示される操作が行なわれてもよい。
【００６０】
（実施形態２：主な効果）
本実施形態により、表示された地図により位置を指定できるので、位置情報の入力が容易に行なえる。また、位置情報がポインティングデバイスなどにより入力された後に、入力された位置情報が地図の中心となるように地図を表示することにより、マウスなどのクリック操作により、注目する行政区画を変更することが容易に行なえる。また、行政区域が変更されても、統一感のある画面表示が可能である。
【００６１】
（実施形態３）
本発明の実施形態３として、複数の行政区画を含む地図を表示する地図情報表示装置について説明する。
【００６２】
（実施形態３：構成）
図１５は、本発明の実施形態３に係る地図情報表示装置の機能ブロック図を例示する。地図情報表示装置１５００は、位置情報取得部５０１と、行政区画識別情報取得部５０２と、カテゴリ保持部５０３と、カテゴリアイコン表示部５０４と、地図表示部１３０１と、を有し、位置情報取得部５０１は、ポインティングデバイス取得手段１３０２を有し、地図表示部１３０１は、シームレス表示手段１５０１を有している。したがって、本実施形態に係る地図表示装置は、実施形態２に係る地図表示装置の地図表示部がシームレス表示手段を有する構成となっている。
【００６３】
「シームレス表示手段」１５０１は、行政区画を複数含んだ地図を表示する手段である。例えば、地図の縮尺を変更するためのボタンを地図とともに表示して、押下されたボタンに応じて、地図の縮尺を変更することにより、複数の行政区画を含んだ地図を表示する。あるいは、別のウィンドウに別の行政区画を含む地図を表示するようにしてもよい。
【００６４】
（実施形態３：主な効果）
本実施形態によれば、複数の行政区画を含む地図が表示可能であり、また、地図の位置をポインティングデバイスにより指定することが可能であるので、異なる行政区画の地域情報を取得することが容易に行なえる。
【００６５】
（実施形態４）
本発明の実施形態４として、表示された地図をスクロールすることができる地図情報表示装置について説明する。
【００６６】
（実施形態４：構成）
本発明の実施形態４に係る地図情報表示装置の構成は、実施形態３に係る地図情報表示装置の構成と同じである。ただし、本実施形態に係る地図情報表示装置においては、シームレス表示手段は、任意の一の行政区画を含む地図部分から、その地図部分に含まれない他の行政区画を含む地図部分にまでスクロール表示が可能となっている。
【００６７】
例えば、地図表示部１３０１は、地図を表示するときに、地図の縦方向又は／及び横方向へスクロールを行なうためのスクロールバーを表示し、シームレス表示手段１５０１は、スクロールバーの操作を検出して、地図をスクロール表示する。あるいは、地図の表示を上下又は／及び上下方向へ移動するためのボタンを画面に表示し、シームレス表示手段１５０１は、そのボタンに対する操作を検出して、地図をスクロールする。その場合、例えば、地図上で北が上になっている場合に、上方向へ移動するためのボタンが押下された場合には、現在地図に表示されている行政区画の北隣の行政区画が表示されるように地図をスクロールするようにしてもよい。
【００６８】
（実施形態４：処理の流れ）
図１６は、本実施形態に係る地図情報表示装置の本実施形態に特有の処理の流れ図を例示する。ステップＳ１６０１において、まず、最初の地図を表示する。例えば、日本全国の地図を表示したり、利用者が現在居住している行政区画の地図を表示したりする。ステップＳ１６０２において、スクロールするべきかどうか、すなわち、スクロール操作が行なわれたかどうかを判断する。この判断は、例えば、ウィンドウマネージャなどから送られるイベントを受信し、そのイベントの内容を解析することにより行なわれる。もし、スクロールするべきであると判断されると、ステップＳ１６０３へ処理を移行し、そうでなければステップＳ１６０４へ処理を移行する。
【００６９】
ステップＳ１６０３においては、スクロール操作に応じて、地図をスクロールする。その後、ステップＳ１６０２へ戻る。
【００７０】
ステップＳ１６０４において、位置指定が行なわれたかどうかを判断する。もし、そうならば、例えば、図１２のステップＳ１２０１へ処理を移行する。そうでなければ、ステップＳ１６０１へ戻る。
【００７１】
（実施形態４：主な効果）
本実施形態によれば、地図をスクロールすることができるので、隣の行政区画などの他の行政区画の地域情報を容易に得ることができる。
【００７２】
（実施形態５）
本発明の実施形態５として、地域情報のデザインを選択し、選択されたデザインを利用して地域情報を表示する地図情報表示装置について説明する。
【００７３】
（実施形態５：構成）
図１７は、本発明の実施形態５に係る地図情報表示装置の機能ブロック図を例示する。地図情報表示装置１７００は、位置情報取得部５０１と、行政区画識別情報取得部５０２と、カテゴリ保持部５０３と、カテゴリアイコン表示部５０４と、表示デザイン情報保持部１７０１と、表示デザイン選択部１７０２と、地域情報表示部１７０３と、を有する。また、地図情報表示装置１７００は、地図表示部を有し、位置情報取得部５０１は、ポインティングデバイス取得手段を有していてもよい。さらに、地図表示部は、シームレス表示手段を有していてもよく、シームレス表示手段は、スクロール表示が可能であってもよい。したがって、本実施形態に係る地図情報表示装置は、実施形態１から４のいずれかの地図情報表示装置が、表示デザイン情報保持部１７０１と、表示デザイン選択部１７０２と、地域情報表示部１７０３と、を有する構成となっている。
【００７４】
「表示デザイン情報保持部」１７０１は、地域情報の表示デザインを定める情報を保持する。例えば、ＨＴＭＬ言語においては、スタイルシートの指定によりＨＴＭＬファイルの表示のデザイン、例えば、文字のフォント、文字の大きさ、文字の色、背景の色、用いる画像の種類、テキストのアラインメントなど、を指定することができる。そこで、表示デザイン情報保持部１７０１は、スタイルシートを保持するようにしてもよい。なお、「用いる画像の種類」とは、例えば、背景に用いる画像、アイコンやボタンに用いる画像、などを表示するために用いる画像データの種類を意味する。種類は、ファイル名やファイルを示すＵＲＬ（Ｕｎｉｆｏｒｍ  Ｒｅｓｏｕｒｃｅ  Ｌｏｃａｔｏｒ）により指定がされる。また、「テキストのアラインメント」は、テキストを表示する際に、左揃え、センタリング、右揃え、などのいずれかの態様で示すべきかを指定する。スタイルシートを用いることにより、簡単に画面表示のデザインの指定、変更が可能となる。
【００７５】
また、スタイルシートを使用しなくても、個別に、文字のフォント、文字の大きさ、文字の色、背景の色、用いる画像の種類、テキストのアラインメントを指定することができる。例えば、現在のＨＴＭＬ言語の仕様では、個々の文字の文字フォント、文字の大きさ、文字の色は、ｆｏｎｔタグで指定することができる。そこで、地域情報などを表示するＨＴＭＬ言語などの記述の中での文字フォント、文字の大きさ、文字の色を変えたい文字部分をｆｏｎｔタグで囲み、そのｆｏｎｔタグにおける文字フォント、文字の大きさ、文字の色の記述を適宜置き換えることの指示を表示デザイン情報により定義する。同様に、背景の色、用いる画像の種類、テキストのアラインメントを指定するタグの記述（例えば、ＩＭＧタグ、Ｐタグなど）を適宜置き換えることの指示を表示デザイン情報により定義する。例えば、<ｆｏｎｔ  ｓｉｚｅ＝ＦＯＮＴＳＩＺＥＳＰＥＣ１００>という記述をＨＴＭＬファイルに含ませておき、表示デザイン情報に、ＦＯＮＴＳＩＺＥＳＰＥＣ１００を例えば、＋２に置き換えるために「ｓ／ＦＯＮＴＳＩＺＥＳＰＥＣ１００／＋２／」という指示を含ませておき、ＨＴＭＬファイルを表示する前に、ＦＯＮＴＳＩＺＥＳＰＥＣ１００を＋２に置き換えることを行なう。この置き換えは、例えば、プログラミング言語処理系で使用されるマクロプリプロセッサで行なったり、ストリームエディタ（例えば、「ｓｅｄ」と呼ばれるものが知られている）などのエディタで行なったりしてもよい（上記の「ｓ／ＦＯＮＴＳＩＺＥＳＰＥＣ１００／＋２／」は、ある種のエディタにおける置き換えのコマンドの例である）。このように個々のテキスト、画像の表示デザインを指定することにより、より細かな部分のデザインの指定、変更が可能となる。
【００７６】
また、用いる画像の種類とも関連するが、表示デザイン情報は、地域情報の表示とともに画面に表示するバナー広告の種類または／および数を定めてもよい。例えば、甲村の地域情報を表示するときには、甲村あるいはその周囲の行政区画内での名産品を表わすバナー広告を表示し、乙町の地域情報を表示するときには、乙町で行なわれる選挙の投票を呼びかけるバナー広告を表示する、などの指定を表示デザイン情報で行なう。バナー広告とは、広告すべき内容の要約を示す画像であり、通常は矩形の画像である。その画像にはリンクが張られており、その画像をクリックすることにより、より詳細な広告などの説明が得られるものである。本実施形態において、画面が表示される場合には、指定された種類のバナー広告からランダムあるいは一定の規則に従ってバナー広告の選択がされ、そのバナー広告を示すＵＲＬ（画像ファイルのＵＲＬ、リンク先のＵＲＬ）などが画面に含ませられる。例えば、地域情報の表示を行なうためのＨＴＭＬの記述の中に、バナー広告の記述を配置するべき目印となる記述が存在し、適宜置き換える。また、置き換えられない目印は削除されたり、コメントとなり、画面表示に影響を与えないようにする。また、地域情報が表示される際に、画面上のどこにバナー広告が表示されるかを指定されていてもよい。例えば、画面の一番上、一番下、あるいは、右下、右上などの指定である。また、バナー広告を１つ表示する。あるいは、２つ表示するなどの個数の指定が行なわれていてもよい。バナー広告が地域情報などとともに表示されることにより、例えば、行政区画の地方自治体などからの告知などを知らせることが可能となる。また、企業などのバナー広告を表示することによる広告費収入により、地図情報表示装置の運営にかかる費用を賄うことも可能となる。
【００７７】
「表示デザイン選択部」１７０２は、行政区画識別情報取得部５０２が取得した行政区画識別情報に応じて表示デザイン情報保持部１７０１から表示デザインを選択する。例えば、特定の基準により表示デザインを選択する。例えば、地域情報を表示する時間帯や季節に応じて表示デザインを選択する。あるいは、次に説明するように、表などを用いて選択を行なってもよい。
【００７８】
図１８は、表示デザイン選択部１７０２が行政区画識別情報取得部５０２の取得した行政区画識別情報に応じて表示デザイン情報保持部１７０１から表示デザインを選択するために用いる表を例示する。この表により、例えば、甲村の地域情報を表示する場合には、デザイン１０２４が選択されるようになる。「デザイン１０２４」という文字列は、具体的には例えば、スタイルシートの名前である。
【００７９】
「地域情報表示部」１７０３は、表示デザイン選択部１７０２が選択した表示デザインを利用して地域情報を表示する。例えば、地域情報がＨＴＭＬにより表示され、表示デザインがスタイルシートであれば、ＨＴＭＬのヘッダ部分に  <link rel="stylesheet" href="スタイルシートのＵＲＬ" type="text/css" media="all">  を挿入して、地域情報を表示する。あるいは、マクロプロセッサやエディタなどを用いて種々のタグの記述に対して置換を行なう。
【００８０】
（実施形態５：処理の流れ）
図１９は、本実施形態に係る地図情報表示装置の本実施形態に特有の処理の流れ図を例示する。ステップＳ１９０１において、表示デザイン選択部１７０２により、行政区画識別情報取得部５０２で取得された行政区画識別情報に応じて表示デザインを選択する。ステップＳ１９０２において、アイコンに対してクリックなどの操作が行なわれるまで待つ。ステップＳ１９０３において、選択された表示デザインを利用して地域情報を表示することを地域情報表示部１７０３により行なう。
【００８１】
（実施形態５：主な効果）
本実施形態により、行政区画ごとに異なるデザインで地域情報を表示することが可能であり、利用者に行政区画の変化を知らせることができる。また、行政区画ごとの個性を演出することも可能である。
【００８２】
（実施形態６）
本発明の実施形態６として、地域情報を管理する機能を有する地図情報表示装置について説明する。
【００８３】
（実施形態６：構成）
図２０は、本発明の実施形態６に係る地図情報表示装置の機能ブロック図を例示する。地図情報表示装置２０００は、位置情報取得部５０１と、行政区画識別情報取得部５０２と、カテゴリ保持部５０３と、カテゴリアイコン表示部５０４と、地域情報保持部２００１と、地域情報管理部２００２と、を有している。また、地図情報表示装置２０００は、地図表示部を有し、位置情報取得部５０１は、ポインティングデバイス取得手段を有していてもよい。さらに、地図表示部は、シームレス表示手段を有していてもよく、シームレス表示手段は、スクロール表示が可能であってもよい。また、表示デザイン情報保持部と、表示デザイン選択部と、地域情報表示部と、を有していてもよい。したがって、本実施形態に係る地図情報表示装置は、実施形態１から５のいずれかの地図情報表示装置が、地域情報保持部２００１と、地域情報管理部２００２と、を有した構成となっている。
【００８４】
「地域情報保持部」２００１は、行政区画識別情報と、地域情報とを関連付けて保持する。
【００８５】
図２１は、地域情報保持部２００１が行政区画識別情報と、地域情報とを関連付けて保持するための表を例示する。例えば、甲村という行政区画識別情報には、ａ０１０．ｈｔｍとａ０１１．ｈｔｍとａ１００．ｈｔｍというファイル名の地域情報が関連付けられている。なお、図２１のように行政区画識別情報と、地域情報とを関連付けて保持されているならば、図９に例示された表は、図２２に例示される表で置き換えることが可能となる。図２２に例示された表により、どの地域情報がどのカテゴリに分類されるかを知ることができ、また、図２１に例示された表により、どの行政区画識別情報にどの地域情報が関連付けられているかを知ることができるので、結果として、どの行政区画識別情報にどの地域情報が関連付けられており、また、その地域情報のカテゴリが何であるかを知ることができる。
【００８６】
「地域情報管理部」２００２は、地域情報保持部２００１で保持されている地域情報を管理する。「管理」とは、地域情報の追加、削除、更新、行政区画識別情報との関連付けとその関連付けの解除を含む概念である。
【００８７】
また、地域情報管理部２００２による地域情報の管理により、どのような地域情報が追加されたか、変更されたか、を保持して「新着情報」などとして表示を行なうようになっていてもよい。
【００８８】
また、地域情報管理部２００２は、各行政区画に対応する自治体の計算機に接続され、各自治体から、その自治体に関連する地域情報が管理できるようになっていてもよい。
【００８９】
（実施形態６：主な効果）
本実施形態により、地域情報の管理を行なうことができ、地域情報を最新の状態に保つことができる。
【００９０】
（実施形態７）
本発明の実施形態７として、地域情報の管理の履歴を保持し出力する地図情報表示装置について説明する。
【００９１】
（実施形態７：構成）
図２３は、本発明の実施形態７に係る地図情報表示装置の機能ブロック図を例示する。地図情報表示装置２３００は、位置情報取得部５０１と、行政区画識別情報取得部５０２と、カテゴリ保持部５０３と、カテゴリアイコン表示部５０４と、地域情報保持部２００１と、地域情報管理部２００２と、管理履歴情報保持部２３０１と、追加変更情報出力部２３０２と、を有する。したがって、本実施形態に係る地図情報表示装置は、実施形態６に係る地図情報表示装置が、管理履歴情報保持部２３０１と追加変更情報出力部２３０２とを有した構成となっている。
【００９２】
「管理履歴情報保持部」２３０１は、地域情報管理部２００２により地域情報の管理の履歴を示す管理履歴情報を保持する。例えば、リレーショナルデータベースのテーブルに、管理履歴情報を保持することを行なう。あるいは、テキストファイルやＣＳＶ（Ｃｏｍｍａ  Ｓｅｐａｒａｔｅｄ  Ｖａｌｕｅ）ファイルにログ形式で、管理履歴情報が保持されるようになっていてもよい。なお、本実施形態においては、地域情報管理部２００２により地域情報の管理が行なわれると、管理履歴情報が地域情報管理部２００２より出力され、管理履歴情報保持部２３０１により保持がされる。
【００９３】
図２４は、管理履歴情報を保持するテーブルの一例を示す。左から、管理が行なわれた日付、どの行政区画の地域情報の管理がされたかを示す自治体名、管理が行なわれた地域情報の記述が含まれるファイル名、管理の種類を示す管理種別、管理の内容を示すコメント、という列からなっている。このようなテーブルにより、例えば、２００４年１月１１日に、甲村のａ０１５．ｈｔｍというファイルが置換され、その目的は、××出張所が新設されたためであることがわかる。なお、置換とは、ファイルの削除と追加を意味する。また、コメントの列に格納される文字列は、例えば、地域情報管理部２００２により管理が行なわれるときに、操作者あるいは管理者により入力される文字列である。あるいは、管理の操作に基づいて、自動的あるいは半自動的に生成される文字列であってもよい。
【００９４】
「追加更新情報出力部」２３０２は、管理履歴情報保持部２３０１に保持された管理履歴情報に基づいて、地域情報の追加または／および変更を示す追加変更情報を示す追加変更情報を出力する。例えば、図２４に例示されるテーブルを定期的あるいは不定期的にスキャンし、それを画面などに出力する。
【００９５】
あるいは、行政区画識別情報取得部５０２で取得された行政区画の地域情報に対する管理履歴が検索され、検索された管理履歴情報が地域情報とともに出力、表示されたり、実施形態２のように地図が表示される場合には、その地図とともに表示がされるようになっていてもよい。この場合、管理履歴の検索により、行政区画識別情報取得部５０２で取得された行政区画の最近のものが得られるようになっていてもよい。
【００９６】
図２５は、地域情報とともに表示する管理履歴情報の一例を示す。このような表示を行なうことにより（例えば、地域情報の右側などに表示する）、地図情報表示装置２３００の利用者は、２００４年１月１１日に、××出張所が新設されたことを容易に知ることができる。
【００９７】
なお、図２５に例示される管理履歴情報は、地域情報の表示とともに出力、表示がされてもよいし、あるいは、カテゴリアイコン表示部により、アイコンの表示とともに出力、表示がされてもよい。
【００９８】
（実施形態７：主な効果）
本実施形態によれば、例えば、地域情報の更新の程度を利用者に示すことができ、利用者の便益に資することができる。
【産業上の利用可能性】
【００９９】
本発明に係る地図情報表示装置は、行政区画が異なっても統一したフォーマットで地域情報を提供することができ、また、利用者は、異なる行政区画の地域情報を簡便な操作で取得することが可能となり、さらに、行政区画ごとに表示デザインが設定できることにより、ホームページなどの表示の差別化、個性化を図り、かつ、シームレスな操作性を実現することが可能となるなど、地図上の位置を示す情報を取得し、その地図上の位置を含む行政区画を識別する情報を取得して、その行政区画の地域の地域情報を表示するための地図情報表示装置として有用である。
【図面の簡単な説明】
【０１００】
【図１】本発明の概要の一例図
【図２】本発明の概要の一例図
【図３】本発明の概要の一例図
【図４】本発明の概要の一例図
【図５】本発明の実施形態１に係る地図情報表示装置の機能ブロック図
【図６】位置情報取得部５０１が位置情報を取得するための画面表示の一例図
【図７】座標が指定できる地図の一例図
【図８】行政区画識別情報取得部５０２が行政区画識別情報を取得する一つの方法を説明するための図
【図９】カテゴリ保持部５０３が、行政区画識別情報とその行政区画識別情報で識別される地域の地域情報のカテゴリとを関連付けて保持する一例図
【図１０】アイコンの表示の一例図
【図１１】カテゴリアイコン表示部５０４の処理の流れ図
【図１２】本発明の実施形態１に係る地図情報表示装置の処理の流れ図
【図１３】本発明の実施形態２に係る地図情報表示装置の機能ブロック図
【図１４】本発明の実施形態２に係る地図情報表示装置の処理の流れ図
【図１５】本発明の実施形態３に係る地図情報表示装置の機能ブロック図
【図１６】本発明の実施形態４に係る地図情報表示装置の処理の流れ図
【図１７】本発明の実施形態５に係る地図情報表示装置の機能ブロック図
【図１８】表示デザインを選択するために用いる表の一例図
【図１９】本発明の実施形態５に係る地図情報表示装置処理の流れ図
【図２０】本発明の実施形態６に係る地図情報表示装置の機能ブロック図
【図２１】行政区画識別情報と地域情報とを関連付けて保持するための表の一例図
【図２２】地域情報とカテゴリとを関連付けて保持するための表の一例図
【図２３】本発明の実施形態７に係る地図情報表示装置の機能ブロック図
【図２４】管理履歴情報保持部で保持されている管理履歴情報の一例図
【図２５】追加変更情報が出力されたことの一例図
【符号の説明】
【０１０１】
１００  画面
１０１  入力エリア
１０２  表示ボタン
１０３  アイコン
１０４  アイコン
１０５  アイコン
１０６  アイコン
１０７  アイコン
１０８  アイコン
１０９  アイコン
１１０  アイコン
１１１  画面部分
【図１】
2005208434.tif 000003
【図２】
2005208434.tif 000004
【図３】
2005208434.tif 000005
【図４】
2005208434.tif 000006
【図５】
2005208434.tif 000007
【図６】
2005208434.tif 000008
【図７】
2005208434.tif 000009
【図８】
2005208434.tif 000010
【図９】
2005208434.tif 000011
【図１０】
2005208434.tif 000012
【図１１】
2005208434.tif 000013
【図１２】
2005208434.tif 000014
【図１３】
2005208434.tif 000015
【図１４】
2005208434.tif 000016
【図１５】
2005208434.tif 000017
【図１６】
2005208434.tif 000018
【図１７】
2005208434.tif 000019
【図１８】
2005208434.tif 000020
【図１９】
2005208434.tif 000021
【図２０】
2005208434.tif 000022
【図２１】
2005208434.tif 000023
【図２２】
2005208434.tif 000024
【図２３】
2005208434.tif 000025
【図２４】
2005208434.tif 000026
【図２５】
2005208434.tif 000027